(57)【要約】【課題】釣り人の甲高さにかかわらずフィット感が得られる釣り用ブーツ２の提供。【解決手段】ブーツ２は、アッパー４、ミッドソール６、面ファスナー８、アウトソール１０及びインソール１２を備えている。このインソール１２は、本体２２、第一前アジャストシート２４ａ、第二前アジャストシート２４ｂ、第一後アジャストシート２４ｃ及び第二後アジャストシート２４ｄを備えている。第一前アジャストシート２４ａは、拇指球相当位置において、本体２２の底面に貼着されている。第二前アジャストシート２４ｂは、第一前アジャストシート２４ａの底面に貼着されている。第一後アジャストシート２４ｃは、踵の近傍において、本体２２の底面に貼着されている。第二後アジャストシート２４ｄは、第一後アジャストシート２４ｃの底面に貼着されている。アジャストシート２４ａ、２４ｂ、２４ｃ、２４ｄの枚数は、釣り人の甲高さに応じて変更されうる。【選択図】図１
2009247432.tif 000002
【特許請求の範囲】
【請求項１】
本体と、この本体に積層されうるアジャストシートとを備えた、釣り用ブーツのためのインソールセット。
【請求項２】
上記本体に拇指球相当位置にて積層される前アジャストシートと、上記本体に踵近傍にて積層される後アジャストシートとを備えた請求項１に記載のインソールセット。
【請求項３】
上記アジャストシートに積層される他のアジャストシートをさらに備えた請求項１に記載のインソールセット。
【請求項４】
アッパー、アウトソール、ミッドソール及びインソールを備えており、
このインソールが、本体と、この本体に積層されたアジャストシートとを有する釣り用ブーツ。
【発明の詳細な説明】
【技術分野】
【０００１】
本発明は、釣り人に着用されるブーツと、このブーツに適用されうるインソールセットとに関する。
【背景技術】
【０００２】
釣りには、ブーツタイプ、シューズタイプ等の履き物が使用されている。履き物は、インソールを備えている。三次元形状を有するインソールが、主として用いられている。このインソールは、「カップインソール」と称されている。カップインソールを備えた履き物が、株式会社シマノ発行の「2007 Fishing Tackle Catalogue」の第２２８ページに開示されている。
【０００３】
釣りは、前下がりの斜面で行われることが多い。この斜面に釣り人が立つと、釣り人の足には前向きの力が加わる。足は、履き物の中で前方へ移動しようとする。シューズタイプの履き物では、紐、テープ等によってアッパーが締め付けられる。この締め付けにより、アッパーが足の甲にフィットし、足の移動が阻止されうる。締め付けの程度は、釣り人の甲高さ、好み等に応じて決定される。
【非特許文献１】株式会社シマノ発行の「2007 Fishing Tackle Catalogue」
【発明の開示】
【発明が解決しようとする課題】
【０００４】
ブーツタイプの履き物は、紐、テープ等を備えていない。この履き物では、アッパーが甲にフィットしにくい。この履き物が前下がりの斜面で用いられると、足が前方へ移動し、指がアッパーに強く押し付けられる。釣りが長時間に及ぶと、釣り人は指に苦痛を感じる。
【０００５】
アッパーとインソールとの間のスペースが狭く設定されれば、フィット感が得られる。しかし、この履き物は、甲高の釣り人には向かない。甲高さに応じ、アッパーとインソールとの間のスペースが異なる多品種のブーツが用意されれば、釣り人は自らの足に応じたブーツを選択することができる。しかし、多品種のブーツの準備は、ブーツの製造コストを押し上げる。
【０００６】
本発明の目的は、甲高さにかかわらずフィット感が得られる釣り用ブーツの提供にある。本発明の他の目的は、このブーツのためのインソールセットの提供にある。
【課題を解決するための手段】
【０００７】
本発明に係る釣り用ブーツのためのインソールセットは、本体と、この本体に積層されうるアジャストシートとを備える。
【０００８】
好ましくは、このインソールセットは、拇指球相当位置にて本体に積層される前アジャストシートと、踵近傍にて本体に積層される後アジャストシートとを備える。
【０００９】
好ましくは、このインソールセットは、アジャストシートに積層される他のアジャストシートをさらに備える。
【００１０】
本発明に係る釣り用ブーツは、アッパー、アウトソール、ミッドソール及びインソールを備える。このインソールは、本体と、この本体に積層されたアジャストシートとを有する。
【発明の効果】
【００１１】
本発明に係るインソールセットでは、足の甲高さに応じて、本体にアジャストシートが積層される。このアジャストシートにより、インソールの総厚みが変更されうる。このインソールセットが用いられたブーツでは、釣り人の甲高さにかかわらず、アッパーが足を締め付ける。このブーツでは、甲高さにかかわらず、フィット感が得られうる。このブーツでは、釣り人が指の苦痛を感じにくい。
【発明を実施するための最良の形態】
【００１２】
以下、適宜図面が参照されつつ、好ましい実施形態に基づいて本発明が詳細に説明される。
【００１３】
図１は、本発明の一実施形態に係る釣り用ブーツ２が示された一部切り欠き断面図である。このブーツ２は、アッパー４、ミッドソール６、面ファスナー８、アウトソール１０及びインソール１２を備えている。
【００１４】
アッパー４は、 典型的には、ポリ塩化ビニルからなる。このアッパー４は、強度及び剛性に優れる。図示されていないが、アッパー４は、その内面に裏地を備えている。アッパー４が、他の合成樹脂からなってもよい。アッパー４が、ゴムからなってもよい。アッパー４は、足部１４及び脛部１６を備えている。足部１４は、人体の甲に当接する。脛部１６は、人体の脛を包み、脛を保護する。
【００１５】
ミッドソール６は、ゴム組成物が架橋されてなる。ミッドソール６には、強度に優れたゴムが用いられる。好ましいゴムとしては、天然ゴム、ブタジエンゴム及びスチレン−ブタジエンゴムが例示される。ミッドソール６は、接着剤によってアッパー４と接合されている。ミッドソール６が、加硫接着によってアッパー４と接合されてもよい。ミッドソール６が合成樹脂からなってもよい。
【００１６】
面ファスナー８は、フック面１８とループ面２０とを備えている。フック面１８は、接着剤によってミッドソール６に接合されている。ループ面２０は、接着剤によってアウトソール１０に接合されている。フック面１８がアウトソール１０に接合され、ループ面２０がミッドソール６に接合されてもよい。典型的な面ファスナー８は、ベルクロ社のマジックテープ（登録商標）である。
【００１７】
アウトソール１０は、面ファスナー８によってミッドソール６と積層されている。アウトソール１０は、架橋ゴムからなる。アウトソール１０が、フェルトからなってもよい。アウトソール１０が、スパイクピンを備えてもよい。面ファスナー８を介さず、アウトソール１０が直接にミッドソール６に接合されてもよい。
【００１８】
図２は図１のブーツ２のインソール１２が示された底面図であり、図３は図２のIII− III線に沿った断面図である。このインソール１２は、本体２２、第一前アジャストシート２４ａ、第二前アジャストシート２４ｂ、第一後アジャストシート２４ｃ及び第二後アジャストシート２４ｄを備えている。
【００１９】
本体２２は、板状のベース２６と、このベース２６の周縁においてこのベース２６から起立する側壁２８とを有している。この本体２２は、「カップインソール」と称されている。本体２２は、気泡を含むポリマー成形体である。典型的には、本体２２の基材ポリマーは、エチレン−酢酸ビニル共重合体である。本体２２は、衝撃吸収性に優れる。
【００２０】
第一前アジャストシート２４ａは、ベース２６に積層されている。第一前アジャストシート２４ａは、ベース２６の底面に貼着されている。典型的には、粘着剤により、第一前アジャストシート２４ａがベース２６に貼着される。第一前アジャストシート２４ａは、人体の拇指球に相当する位置において、ベース２６と積層されている。第一前アジャストシート２４ａの材質は、本体２２の材質と同等である。
【００２１】
第二前アジャストシート２４ｂの形状及び寸法は、第一前アジャストシート２４ａのそれと同等である。第二前アジャストシート２４ｂは、第一前アジャストシート２４ａに積層されている。第二前アジャストシート２４ｂは、第一前アジャストシート２４ａの底面に貼着されている。典型的には、粘着剤により、第二前アジャストシート２４ｂが第一前アジャストシート２４ａに貼着される。第二前アジャストシート２４ｂの材質は、本体２２の材質と同等である。
【００２２】
第一後アジャストシート２４ｃは、ベース２６に積層されている。第一後アジャストシート２４ｃは、ベース２６の底面に貼着されている。典型的には、粘着剤により、第一後アジャストシート２４ｃがベース２６に貼着される。第一後アジャストシート２４ｃは、人体の踵に相当する位置の近傍において、ベース２６と積層されている。第一後アジャストシート２４ｃの材質は、本体２２の材質と同等である。
【００２３】
第二後アジャストシート２４ｄの形状及び寸法は、第一後アジャストシート２４ｃのそれと同等である。第二後アジャストシート２４ｄは、第一後アジャストシート２４ｃに積層されている。第二後アジャストシート２４ｄは、第一後アジャストシート２４ｃの底面に貼着されている。典型的には、粘着剤により、第二後アジャストシート２４ｄが第一後アジャストシート２４ｃに貼着される。第二後アジャストシート２４ｄの材質は、本体２２の材質と同等である。
【００２４】
図１に示されるように、４枚のアジャストシート２４により、本体２２はミッドソール６から上方に離れて位置している。従って、インソール１２と足部１４とのスペースＳ１は、小さい。
【００２５】
図４は、図２のインソール１２のためのインソールセット３０が示された斜視図である。このインソールセット３０は、本体２２、第一前部材３２ａ、第二前部材３２ｂ、第一後部材３２ｃ及び第二後部材３２ｄを備えている。第一前部材３２ａ及び第一後部材３２ｃは、本体２２と離間している。第二前部材３２ｂは、第一前部材３２ａと離間している。第二後部材３２ｄは、第一後部材３２ｃと離間している。
【００２６】
図５は、図４のインソールセット３０の第一前部材３２ａの一部が示された拡大断面図である。この第一前部材３２ａは、第一前アジャストシート２４ａ、粘着層３４及び離型紙３６を備えている。離型紙３６が剥がされることで、粘着層３４が露出する。この粘着層３４の粘着剤により、第一前アジャストシート２４ａがベース２６に貼着される。
【００２７】
図示されていないが、第二前部材３２ｂ、第一後部材３２ｃ及び第二後部材３２ｄの層構成は、第一前部材３２ａのそれと同等である。第二前部材３２ｂは、第二前アジャストシート２４ｂ、粘着層３４及び離型紙３６を備えている。離型紙３６が剥がされることで、粘着層３４が露出する。この粘着層３４の粘着剤により、第二前アジャストシート２４ｂが第一前アジャストシート２４ａに貼着される。第一後部材３２ｃは、第一後アジャストシート２４ｃ、粘着層３４及び離型紙３６を備えている。離型紙３６が剥がされることで、粘着層３４が露出する。この粘着層３４の粘着剤により、第一後アジャストシート２４ｃがベース２６に貼着される。第二後部材３２ｄは、第二後アジャストシート２４ｄ、粘着層３４及び離型紙３６を備えている。離型紙３６が剥がされることで、粘着層３４が露出する。この粘着層３４の粘着剤により、第二後アジャストシート２４ｄが第一後アジャストシート２４ｃに貼着される。
【００２８】
図６は、図１のブーツ２が示された一部切り欠き断面図である。このブーツ２のインソール１２は、本体２２、第一前アジャストシート２４ａ及び第一後アジャストシート２４ｃからなる。第二前アジャストシート２４ｂ（図３参照）及び第二後アジャストシート２４ｄは、インソール１２に用いられていない。
【００２９】
２枚のアジャストシート２４により、本体２２はミッドソール６から上方に離れて位置している。インソール１２と足部１４とのスペースＳ２は、図１に示されたスペースＳ１よりも大きい。スペースＳ２とスペースＳ１との差（Ｓ２−Ｓ１）は、アジャストシート２４の厚みと同等である。
【００３０】
図７は、図１のブーツ２が示された一部切り欠き断面図である。このブーツ２のインソール１２は、本体２２のみからなる。第一前アジャストシート２４ａ、第二前アジャストシート２４ｂ、第一後アジャストシート２４ｃ及び第二後アジャストシート２４ｄは、インソール１２に用いられていない。
【００３１】
アジャストシート２４がないので、本体２２はミッドソール６に接している。インソール１２と足部１４とのスペースＳ３は、図１に示されたスペースＳ１よりも大きく、図６に示されたスペースＳ２よりも大きい。スペースＳ３とスペースＳ２との差（Ｓ３−Ｓ２）は、アジャストシート２４の厚みと同等である。
【００３２】
このインソールセット３０では、総厚みが調整されうる。例えば、ベース２６の厚みが３ｍｍであり、第一前アジャストシート２４ａ、第二前アジャストシート２４ｂ、第一後アジャストシート２４ｃ及び第二後アジャストシート２４ｄの厚みが２ｍｍである場合、図１に示された状態ではインソール１２の総厚みは７ｍｍであり、図６に示された状態ではインソール１２の総厚みは５ｍｍであり、図７に示された状態ではインソール１２の総厚みは３ｍｍである。
【００３３】
このインソールセット３０は、図４に示された状態で流通する。このインソールセット３０を入手した釣り人は、自らの甲高さに応じ、アジャストシート２４の枚数を決定する。甲が低い釣り人は、図１に示されるように、２枚のアジャストシート２４を重ねる。標準的な甲高さの釣り人は、図６に示されるように、重ねることなくアジャストシート２４をベース２６に貼着する。甲が高い釣り人は、図７に示されるように、アジャストシート２４を用いない。インソール１２の総厚みの調整により、釣り人の甲高さにかかわらず、足部１４が甲を締め付ける。このインソール１２が用いられたブーツ２では、従来のブーツでは不可能であったフィット感の調整が可能である。このブーツ２では、指の苦痛が生じにくい。
【００３４】
このインソール１２では、拇指球相当位置及び踵近傍にて、アジャストシート２４がベース２６に貼着される。土踏まず相当位置には、アジャストシート２４は存在しない。従って、ベース２６が三次元形状を有する場合でも、アジャストシート２４が容易に形成されうる。土踏まず相当位置ではベース２６がミッドソール６から浮き上がるが、土踏まず相当位置には体重があまりかからないので、釣り人は違和感をほとんど感じない。
【００３５】
釣り人は、冬は厚いソックスを履き、夏は薄いソックスを履く。このソックスの厚みに応じ、アジャストシート２４の枚数が設定されてもよい。具体的には、夏には多数のアジャストシート２４が用いられる。冬には、少数のアジャストシート２４が用いられるが、アジャストシート２４が用いられない。
【００３６】
材質の異なる複数のアジャストシート２４が準備されてもよい。例えば、高反発なアジャストシート２４と低反発なアジャストシート２４が準備されてもよい。アウトソール１０がスパイクピンを有する場合、高反発なアジャストシート２４が用いられることで、スパイクピンからの突き上げ感が軽減されうる。アウトソール１０がスパイクピンを有さない場合、低反発なアジャストシート２４が用いられることで、優れた履き心地が得られうる。
【００３７】
図８は、本発明の他の実施形態に係るインソールセット４０が示された斜視図である。このインソールセット４０は、本体４２、第一部材４４ａ及び第二部材４４ｂを備えている。本体４２の形状は、図４に示された本体２２の形状と同等である。本体４２は、ベース４６及び側壁４８を備えている。図示されていないが、第一部材４４ａは、第一アジャストシート、粘着層及び離型紙を備えている。離型紙が剥がされることで、粘着層が露出する。この粘着層の粘着剤により、第一アジャストシートがベース４６に貼着される。この第一アジャストシートは、ベース４６の底面のほぼ全体を覆う。第二部材４４ｂは、第二アジャストシート、粘着層及び離型紙を備えている。離型紙が剥がされることで、粘着層が露出する。この粘着層の粘着剤により、第二アジャストシートが第一アジャストシートに貼着される。第二アジャストシートの形状は、第一アジャストシートの形状と同等である。このインソールセット４０が用いられたブーツでも、アジャストシートの枚数により、インソールと足部とのスペースが調整されうる。
【産業上の利用可能性】
【００３８】
本発明に係るブーツは、種々の釣り場において利用されうる。
【図面の簡単な説明】
【００３９】
【図１】図１は、本発明の一実施形態に係る釣り用ブーツが示された一部切り欠き断面図である。
【図２】図２は、図１のブーツのインソールが示された底面図である。
【図３】図３は、図２のIII−III線に沿った断面図である。
【図４】図４は、図２のインソールのためのインソールセットが示された斜視図である。
【図５】図５は、図４のインソールセットの第一前部材の一部が示された拡大断面図である。
【図６】図６は、図１のブーツが示された一部切り欠き断面図である。
【図７】図７は、図１のブーツが示された一部切り欠き断面図である。
【図８】図８は、本発明の他の実施形態に係るインソールセットが示された斜視図である。
【符号の説明】
【００４０】
２・・・ブーツ
４・・・アッパー
６・・・ミッドソール
８・・・面ファスナー
１０・・・アウトソール
１２・・・インソール
１４・・・足部
２２、４２・・・本体
２４・・・アジャストシート
２６、４６・・・ベース
２８、４８・・・側壁
３０、４０・・・インソールセット
３２ａ・・・第一前部材
３２ｂ・・・第二前部材
３２ｃ・・・第一後部材
３２ｄ・・・第二後部材
３４・・・粘着層
３６・・・離型紙
４４ａ・・・第一部材
４４ｂ・・・第二部材
【図１】
2009247432.tif 000003
【図２】
2009247432.tif 000004
【図３】
2009247432.tif 000005
【図４】
2009247432.tif 000006
【図５】
2009247432.tif 000007
【図６】
2009247432.tif 000008
【図７】
2009247432.tif 000009
【図８】
2009247432.tif 000010